(57)【要約】【課題】補助作業者の抜き取り作業が容易に効率良くできる長いも等の根菜掘り取り機を提供する。【解決手段】掘り取り体３を根菜の下方部に通過させて掘り上げる根菜掘り取り機であって、掘り取り体３は、前部の後ろ上がり傾斜の刃部３ｄと、刃部３ｄ後端部から後方側上方に向かう傾斜面を有するベルトコンベア３ａと、ベルトコンベア３ａ後端部に片持ち状に後方に向け延設した弾性板４ａを備えた根菜掘り取り機であり、弾性板４ａは掘り取り体が通過した空間に長芋等の根菜を急激に沈下させることが無く、長芋等の根菜容易に掘り取ることができる長いも等の根菜掘り取り機である。【選択図】      図１
2018191609.tif 000002
【特許請求の範囲】
【請求項１】
掘り取り体を長いも等の根菜の下方部に通過させて長いも等の根菜を浮き上がらせて掘り上げる長いも等の根菜掘り取り機であって、
前記掘り取り体は、前部に備えられた後ろ上がり傾斜の刃部と、該刃部後端部から後方側に延びて上面は前方から後方に至るに従って上昇する傾斜面を有するベルトコンベア部を備え、
該ベルトコンベア部後端部にベルトコンベア部の前記傾斜面を延長するように片持ち状に後方に向け延設した弾性板が設けられていることを特徴とする長いも等の根菜掘り取り機。
【請求項２】
掘り取り体を長いも等の根菜の下方部に通過させて長いも等の根菜を浮き上がらせて掘り上げる長いも等の根菜掘り取り機であって、
前記掘り取り体は、前部に備えられた後ろ上がり傾斜の刃部と、該刃部後端部から後方側に延びて上面は前方から後方に至るに従って上昇する傾斜面を有するベルトコンベア部を備え、
該ベルトコンベア後端部にベルトコンベアの前記傾斜面を延長するように延長板を備え、該延長板には、弾性板が片持ち状に取り付けられ、他端部が後方側に延設されていることを特徴とする長いも等の根菜掘り取り機。
【請求項３】
前記延長板は、ベルトコンベアの傾斜面に対し左右又は上下に揺動駆動可能に設けられていることを特徴とした請求項２に記載の長いも等の根菜掘り取り機。
【発明の詳細な説明】
【技術分野】
【０００１】
本発明は、トラクタに装着されて使用される農作業機であり、牽引される機枠に取り付けられ、前端部に後部が上方へ傾斜した刃部を有し、該刃部の後部に駆動される無端ベルトコンベアを設けた掘り取り体を、植えつけられた長いも等の下方部を通過させ長いも等の根菜を浮き上がらせて掘り取る長いも等の根菜の掘り取り機の改良に関するものである。
【背景技術】
【０００２】
長いも等の根菜の掘り取り機は、根菜を損傷することが無く効率良くスムーズに掘り取ることが要求されている。従来、このような掘り取り機械として、特開２０００−１３９１５１号公報（特許文献1）の「根菜等の掘取り機」、特開２００８−２９２３０号公報（特許文献２）の「長いも掘取り装置」が開示されている。
【０００３】
特許文献１に開示された「根菜等の掘取り機」は、「トラクタに取付けられる基枠と、基枠に支持バーを介して支持バーに対して前方部が後方部より下方に位置するように設置され、先端には刃部を有し、前後に亙って掛け渡されるコンベアベルトを設けられると共に、コンベアベルトを駆動可能な駆動プーリを設けられる堀取り体とからなり、駆動プーリは、コンベアベルト上面を後方に向けて回転する方向にのみ空転可能であることを特徴とする根菜等の堀取り機」である。また、特許文献２に開示された「長いも掘取り装置」は、「トラクタの後部に連結されて牽引される基枠の下部に取り付けられ、前部が刃部を形成し、後部が上方に傾斜した無端パワーベルトコンベアから成る掘り取り刃体を有する長いも堀取り装置において、前記無端パワーベルトコンベアの後部に振動板を上下に揺動する振動板揺動機構を連設して成り、前記掘り取り刃体により掘り起こした長いもに付着する栽培土を振り落とすようにしたことを特徴とする長いも掘取り装置。」である。
【先行技術文献】
【特許文献】
【０００４】
【特許文献１】特開２０００−１３９１５１号公報
【特許文献２】特開２００８−２９２３０号公報
【発明の概要】
【発明が解決しようとする課題】
【０００５】
刃部の後部に駆動される傾斜した無端ベルトコンベアを設けた掘り取り体を、植えつけられた長いも等の下方部を通過させ長いも等の根菜を浮き上がらせて掘り取る長いも等の根菜の掘り取り機は、根菜を損傷することが無くスムーズに掘り取ることが要求される。また、掘り取り体によって上昇させた根菜をスムーズに補助作業者が抜き取れるようにすることにより作業効率が向上する。このため、特許文献１の根菜等の掘取り機は、進行方向後方側に駆動される無端ベルトコンベアを設けている。また、特許文献２の長いも掘取り装置は、無端ベルトコンベアの後部に振動板を上下に揺動する振動板揺動機構を設けて、長いもに付着した土塊を振り落とすように構成されている。しかしながら、無端ベルトコンベア及び無端ベルトコンベアの後部に設けた延長板が通過後は、土壌と共に浮き上がらせた長いも等の根菜が急激に元の位置に沈下し、再び土壌に長いも等の根菜が押さえつけられて補助作業者が長いも等の根菜等をスムーズに抜き取れず労力がかかっていた。掘り取りした長いも等の根菜及び土壌の急激な沈下を防止できれば、掘り取りした長いも等の根菜を補助作業者が収集するまでの時間を大きく延長できるため、補助作業者の収集作業が滞ること無く容易に効率良く抜き取ることができる。
【０００６】
このことから本発明の目的は、ベルトコンベアを設けた掘り取り体が通過後に発生する長いも等の根菜及び土壌の急激な沈下を防止し、補助作業者の抜き取り作業が容易に効率良くできる長いも等の根菜掘り取り機を提供することを目的とする。
【課題を解決するための手段】
【０００７】
上記課題を解決するために、請求項1に係る発明は、掘り取り体を長いも等の根菜の下方部に通過させて長いも等の根菜を浮き上がらせて掘り上げる長いも等の根菜掘り取り機であって、
前記掘り取り体は、前部に備えられた後ろ上がり傾斜の刃部と、該刃部後端部から後方側に延びて上面は前方から後方に至るに従って上昇する傾斜面を有するベルトコンベア部を備え、
該ベルトコンベア部後端部にベルトコンベア部の前記傾斜面を延長するように、片持ち状に後方に向け延設した弾性板が設けられていることを特徴とする長いも等の根菜掘り取り機である。
【０００８】
また、上記課題を解決するために、請求項２に係る発明は、掘り取り体を長いも等の根菜の下方部に通過させて長いも等の根菜を浮き上がらせて掘り上げる長いも等の根菜掘り取り機であって、
前記掘り取り体は、前部に備えられた後ろ上がり傾斜の刃部と、該刃部後端部から後方側に延びて上面は前方から後方に至るに従って上昇する傾斜面を有するベルトコンベア部を備え、
該ベルトコンベア後端部にベルトコンベアの前記傾斜面を延長するように延長板を備え、該延長板には、弾性板が片持ち状に取り付けられ、他端部が後方側に延設されていることを特徴とする長いも等の根菜掘り取り機である。
【０００９】
さらに、上記課題を解決するために、請求項３に係る発明は、前記延長板は、ベルトコンベアの傾斜面に対し左右又は上下に揺動駆動可能に設けられていることを特徴とした請求項２に記載の長いも等の根菜掘り取り機である。
【発明の効果】
【００１０】
この発明によれば、掘り取り体を長いも等の根菜の下方部に通過させて長いも等の根菜を浮き上がらせた後も、ベルトコンベア後端に延設された弾性板によって、掘り上げた土壌が急激に沈下せず緩やかに崩れるため、補助作業者が長いも等の根菜を掴み損ねること無く容易に作業が行える。
【図面の簡単な説明】
【００１１】
【図１】本発明の実施例の根菜掘り取り機の作業状態の進行方向左側の側面図である。
【図２】本発明の実施例の根菜掘り取り機の平面図である。
【図３】本発明の実施例の根菜掘り取り機の正面図である。
【図４】本発明のベルトコンベア駆動部の断面した要部平面図である。
【図５】本発明の実施例のコンベア後部の弾性板の要部左側側面図である。
【図６】本発明の実施例のコンベア後部の弾性板の一部断面した後面図である。
【図７】本発明のコンベア後部の延長板を設けた状態の左側側面図である。
【図８】本発明のコンベア後部の揺動板を設けた状態の左側側面図である。
【図９】本発明のコンベア後部の揺動板を設けた状態の後面図である。
【図１０】本発明の揺動板を設けた状態のコンベア駆動部及び揺動板駆動部の断面した要部平面図である。
【発明を実施するための形態】
【００１２】
実施の一形態を、図１乃至図１０に基づいて説明する。図１乃至図３は本発明の根菜掘り取り機の作業姿勢の状態の外観を示したものである。図１は進行方向左側面図を、図２は平面図を、図３は前方正面図を示したものである。走行作業車両であるトラクタ（図示せず）の後部には昇降リンクである３点リンク機構が設けられていて、本発明の根菜掘り取り機前方部の装着部と昇降自在に連結されると共に、トラクタ側から出力される動力によって駆動される。本例の説明においては、図1に示す左側を進行方向前方側として説明する。
【００１３】
機体を保持する機枠１は、板状体を相互に左右対向させた状態に形成する。そして、機枠１の前方先端には板状体相互間に固定され左右先端部にロアリンクピン１ｆを設けた丸棒状フレームが板状体を連結固定し、さらに機枠１の後端にはブラケット１ｂを上方へ向け突設する。
【００１４】
機枠１の前方部には、マストフレーム１ａが設けられている。マストフレーム１ａは板状体からなり、左右対向させた状態に機枠１に連結されている。マストフレーム１ａの下端である基部は、機枠１の前記ロアリンクピン１ｆを設けた丸棒状フレーム近傍に前後回動自在に回動軸１ｃによって保持されていて、マストフレーム１ａの上部先端前方にはトップリンクピン１ｅを左右方向水平に設けている。また、マストフレーム１ａの後方は油圧シリンダ１ｄの一端と連結され、油圧シリンダ１ｄの他端は機枠１の後部に設けたブラケット１ｂと連結される。そして、トップリンクピン１ｅと前記機枠１に設けたロアリンクピン１ｆによってトラクタの昇降リンクである３点リンク機構に取り付けられる。従って、油圧シリンダ１ｄを伸縮させることで、前記回動軸１ｃを中心に機枠１の後方側を上下に回動することが可能となる。油圧シリンダ１ｄを縮めると掘削部２及び掘り取り体３が後方に回動して上昇し移動状態となる。
【００１５】
機枠１には、掘削部２とビーム１ｇが下方に延設され左右一組ずつ設けられている。掘削部２は、ビーム１ｇの前方側に位置し、掘り上げる長いも等の根菜の左右側方の土壌を掘削するものである。ビーム１ｇの下方端部には後述する掘り取り体３が備えられている。
【００１６】
掘削部２は、機枠１に下方へ向けて設けられる。掘削部２は、根菜掘り取り機を掘り取り作業状態にした時に、土中に位置し、掘り上げる長いも等の根菜の左右側方の土壌を掘削し根菜とその周囲の土壌を持ち上げやすくする。掘削部２は、ブーム２ａとその周囲に巻架された掘削チェーン２０からなる。掘削チェーン２０は、ローラーチェーン２ｅとその外周に複数取り付けられた掘削刃２ｆによって構成されている。掘削チェーン２０は、ブーム２ａの機枠１側の基部に設けた駆動スプロケット２ｂと他端部に設けたテンションスプロケット２ｃとブーム２ａの中間部の前方に張り出して設けたアイドラスプロケット２ｄに側面視三角状に巻架されている。ブーム２ａは進行方向左右に対向してそれぞれ上端を機枠１の後方側に固定される。従って、掘削チェーン２０は対向する各ブーム２ａに設けられ、掘り取り作業時には、対向するブーム２ａ間に掘り取り対象である長いも等の根菜を位置させて、掛け渡された掘削チェーン２０を上下に駆動することで、掘り起こし対象である根菜の左右側方の土壌を上下にかき分け膨軟にすることができる。ブーム２ａ先端側は長さ方向に伸縮可能で、掘削チェーン２０の張り調整が行える。また、掘り取り作業中に土中から露出する掘削部２の上方部は、掘削部カバー７によって覆われている。さらに、左右側方と後方に丸パイプで成形されたサイドガード７ａとリヤガード７ｂが設けられていて、掘削部２の可動部への作業者の接触や巻き込まれによる事故の安全上の防止がされている。
【００１７】
掘削部２の掘削チェーン２０後方には、掘削チェーン２０に近接してビーム１ｇが機枠１後方側から下方に延設され左右に対向して設けられ、前方視において掘削チェーン２０後方に重合した位置に設けられる。ビーム１ｇの下端部は掘削チェーン２０下端部近傍まで延設されている。ビーム１ｇは、上下に長い帯板状で板厚端縁が進行方向を向いた状態で機枠１に上方部を固定されている。すなわち、前記ブーム２ａとビーム１ｇは位置関係が固定されている。
【００１８】
ビーム１ｇの下端部には、掘り取り体３が取り付けられている。掘り取り体３は、前部に後ろ上がり傾斜の刃部３ｄを備え、該刃部後端部から後方側に延びて上面は前方から後方に至るに従って上昇する傾斜面を有する掘り取り体本体であるベルトコンベア３ａと、該ベルトコンベア３ａ後端部に設けられ、ベルトコンベア３ａの幅と約同一の平面部を有した前記傾斜面を延長するように弾性板４ａを備えている。
【００１９】
掘り取り体３は、前記左右に位置するビーム１ｇの間に設けられ、ビーム１ｇに刃部３ｄ近傍を固着して取り付けられている。掘り取り作業時の掘り取り体３は、掘り取り対象である長いも等の根菜の下方部を通過して、掘削部２によって掘削され左右側部の土が膨軟になった内側の根菜周辺の土壌と根菜をベルトコンベア３ａ及び弾性板４ａの傾斜面に載せて移動させ、根菜を上方に浮き上がらせるものである。
【００２０】
刃部３ｄは、鋼板製でベルトコンベア３ａの幅と略同じに設けられ、根菜の下方部の土中をトラクタの進行によって切削していく。
【００２１】
ベルトコンベア３ａは、後方端側に側面視径が大きい駆動ローラ３ｂを位置させ、刃部３ｄ側の前端部から後方側に駆動ローラ３ｂより径が小さいサポートローラを複数配置して、ベルトを巻き付けベルコンベア３ａの上面が後ろ上がりの傾斜となるように構成されている。ベルトコンベア３ａは、駆動ローラ３ｂを掘り取り体３内に設けたコンベア駆動油圧モータ３ｅによって回転駆動され、ベルトコンベア３ａの上面の傾斜面が前方側から後方側に移動するように駆動される。ベルトコンベア３ａの駆動ローラ３ｂとベルトコンベア３ａを支えるサポートローラは、ベルトコンベア３ａの左右に立設しているコンベア側板３ｆにより回転自在に保持されている。
【００２２】
図５、図６に示す弾性板４ａは、ベルトコンベア３ａ後端部のコンベア側板３ｆ後方部左右に架け渡すように取り付けられている支持体４ｂに、押さえ部材４ｃで弾性板４ａの前端部を挟んで後方側が自由端となるように片持ち状に取り付けられている。弾性板４ａは、ベルトコンベア３ａの幅と約同一の平面部を有し、ベルトコンベア３ａの傾斜面を延長するように片持ち状に後方に延設されている。弾性板４ａの後端側は、弾性によってベルトコンベア３ａ下方側に撓むことによって、ベルトコンベア３ａ下方の空間に土壌や根菜Ａが急激に落ち込むのを緩やかにする。根菜Ａが急激に落ち込むことによって倒れたり折損したりすることが無いので、補助作業者は、ベルトコンベア３ａによって浮き上がらせた根菜Ａの頭部を掴み、容易に引き抜くことが可能になる。
【００２３】
図７は、ベルトコンベア３ａ後端部にベルトコンベア３ａの傾斜面を延長するように設けた延長板４ｄの後端に弾性板４ａを設けたものである。延長板４ｄは、ベルトコンベア３ａの傾斜面を延長するような傾斜面を有し、コンベア側板３ｆ後方部左右に架け渡すように取り付けられている。延長板４ｄを設けることにより、ベルトコンベア３ａの傾斜面が延長された状態となり、ベルトコンベア３ａで持ち上げられた根菜Ａをより上昇させる。
該延長板４ｄの傾斜面後端部には、押さえ部材４ｃで弾性板４ａの前端部を挟んで、後方側が自由端となるように片持ち状に取り付けられている。弾性板４ａは、ベルトコンベア３ａの幅と約同一の平面部を有し、ベルトコンベア３ａの傾斜面を延長するように片持ち状に後方に延設されている。
【００２４】
図８、図９は、前記延長板４ｄの左右端が上下に揺動するように設けた一例を示したものである。
左右に揺動可能な揺動板４ｅの後端部には、押さえ部材４ｃで弾性板４ａの前端部を挟んで、後方側が自由端となるように片持ち状に揺動板４ｅに取り付けられている。弾性板４ａは、ベルトコンベア３ａの幅と約同一の平面部を有し、ベルトコンベア３ａの傾斜面を延長するように片持ち状に後方に延設されている。
又、延長板４ｄは後端が上下に揺動するように設けてもよい。
【００２５】
図８、図９、図１０において、揺動板４ｅの駆動方法の一例を説明する。
ベルトコンベア３ａの傾斜面を延長するように前記揺動板４ｅが設けられ、該揺動板４ｅはベルトコンベア３ａの幅と約同一の平面部を有している。揺動板４ｅは、前記コンベア側板３ｆ後方部左右に架け渡され取り付けられている揺動板保持ブラケット４ｉに、左右方向揺動自在に保持されている。揺動板保持ブラケット４ｉの略中央部に、進行方向と平行のパイプ状のボスである揺動ボス４ｊが設けられ、該揺動ボス４ｊに揺動板４ｅに固着された揺動中心軸４ｆが挿入され揺動板４ｅが左右揺動自在に取り付けられる。
揺動板保持ブラケット４ｉの揺動ボス４ｊより側方位置には、揺動板駆動油圧モータ４ｈが設けられ、進行方向と平行の後方に向けて設けられた揺動板駆動油圧モータ４ｈの出力軸には揺動カム４ｇが固着されている。揺動カム４ｇは揺動板駆動油圧モータ４ｈが回転すると上下左右に偏心して回転する。一方、揺動板４ｅには、揺動カム４ｇの上下に近接させてガイド板４ｋが揺動カム４ｇの上下を挟むように設けられていて、揺動カム４ｇが上下に偏心して回転するとガイド板４ｋが上下に移動され、揺動板４ｅが揺動中心軸４ｆを中心に揺動する。揺動板４ｅが左右方向の上下に揺動することにより、ベルトコンベア３ａの斜面によって根菜と共に持ち上げられた土壌を徐々に左右端側から下方に逃がして、揺動板４ｅ後端に至った土壌が急激に崩れ落ちない様にする。また、持ち上げられた土壌の上方部を振動によって崩して根菜の頭部を露出させ掴みやすい状態にすることによって抜き取りミスを軽減する。
【００２６】
さらに、前記揺動板４ｅの後端に後端が緩やかに下方に垂れ下がっている弾性板４ａを取り付けることにより、揺動板４ｅ上を通過した土壌と根菜Ａが下方に急激に落ち込んだり、落ち込んだ際に根菜が倒れたり折損したりすることを防ぐ。
前記弾性板４ａによって、浮き上がった根菜が圃場面に露出させた状態を緩やかに長く維持できるので、補助作業者は容易に根菜の頭部を掴み、引き抜くことができる。
【００２７】
左右のビーム１ｇの中間位置の上方部の後方側には、土崩し手段８が設けられている。土崩し手段８は、掘り取り体３によって上昇してきた根菜と土砂から土砂を左右に払い崩して根菜の上端部を露出させるためのものである。土崩し手段８は、進行方向に複数の丸棒状のかき分け棒が間隔を置いて直線状に並べられ、上方部を中心に下方部が進行方向と直交する方向に揺動して、土砂を払い崩す。
【００２８】
図１に示す状態は、掘り取り作業状態の姿勢を示したもので、本例の場合、掘り取り体３は地下１．２ｍくらいの深さに位置する。トラクタによって掘り取り機を移動等させる場合は、油圧シリンダ１ｄを縮ませることによって、回動軸１ｃを中心に機枠１後方側が図１の状態から反時計方向に回動する。これによって、機枠１後方側に固定された掘削部２下方部と掘り取り体３は回動して上昇する。さらに、トラクタの昇降リンクである３点リンク機構を上昇させると、掘削部２の下方部及び掘り取り体が地上より上に位置して装着されたトラクタ等によって移動させることができる。
【００２９】
機枠１中央部にはトラクタからの動力が入力される入力ギヤケース５ｂが設けられている。入力ギヤケース５ｂ前方には入力軸５ｃが前方に向け突設されていて、トラクタのＰＴＯ軸（図示せず）と入力軸５ｃをユニバーサルジョイント等で連結してトラクタからの動力が入力される。入力ギヤケース５ｂには、入力軸５ｃと直交する方向の左右に出力軸が突設されていて、駆動スプロケット２ｂがそれぞれ固着されている。駆動スプロケット２ｂには、掘削部２の掘削チェーン２０が巻架されていて、入力軸５ｃに入力された動力によって掘削チェーン２０が駆動される。また、入力ギヤケース５ｂの上部には、油圧ポンプ５ａが設けられ、入力軸５ｃに固着したスプロケットと油圧ポンプ５ａの入力軸に固着したスプロケットとにローラーチェーンが巻架され油圧ポンプ５ａが駆動される。油圧ポンプ５ａで発生した油圧は、配管を通じて掘り取り体３のコンベア駆動油圧モータ３ｅに送られ該油圧モータが駆動される。コンベア駆動油圧モータ３ｅが駆動されると、掘り取り体３のベルトコンベア３ａの駆動ローラ３ｂが回転してベルトコンベア３ａが作動する。入力ギヤケース５ｂの後方には土崩し手段８を駆動する出力部が設けられ、土崩し手段８を駆動する。機枠１を回動させる油圧シリンダ１ｄはトラクタ側にバルブを設けトラクタ側の油圧によって作動させる。
【００３０】
本発明の実施例の長いも等の根菜掘り取り機によって掘り取り作業を行う方法を説明する。機枠１の前方左右に設けたロアリンクピン１ｆをトラクタの３点リンク機構のロアリンクに連結し、機枠１前方上方部に設けたマストフレーム１ａの前方側に位置するトップリンクピン１ｅをトラクタの３点リンク機構のトップリンクに連結して掘り取り機をトラクタに装着する。トラクタのＰＴＯ軸と入力ギヤケース５ｂの入力軸５ｃにユニバーサルジョイント等の動力伝達軸を連結してトラクタからの動力を入力できる状態にする。
【００３１】
掘り取りする長いも等の根菜Ａが植えられている畝にトラクタを跨がせた状態に位置させ、すなわち、掘削部２の左右の掘削チェーン２０の中央部に根菜が位置するように位置させて、掘削部２及び掘り取り体３のベルトコンベア３ａを駆動させる。そして、トラクタ側に設けたバルブを操作して油圧シリンダ１ｄを伸ばしていくと、機枠１が図１に示す状態の時計方向に回動して、これに固定された掘削部２と掘り取り体３が地中に入り込んでいく。掘り取り体３の前方の刃部３ｄを掘り取り対象根菜の下方部に位置させたら、トラクタを前進させて掘り取り作業を開始する。
【００３２】
トラクタが前進することにより、掘削部２によって根菜の左右側方を掘削して土壌を膨軟にしていく。そして、その後方に位置する掘り取り体３のベルトコンベア３ａの傾斜面に、左右の掘削チェーン２０の内側に位置する土壌が載せられ根菜Ａと共に後方に移動する。土壌と根菜Ａはベルトコンベア３ａの傾斜面に沿って上方に浮き上げられ、浮き上げられた土壌の一部が崩れて根菜Ａの頭部が圃場面に露出する。そして、補助作業者が圃場面に露出した根菜Ａの頭部を把持し、根菜Ａを引き抜いていく。
【００３３】
弾性板４ａが設けられていないと、掘り取り体３の通過直後のベルトコンベア３ａの下部および直後部には、掘り取り体３によって土壌及び根菜Ａが浮き上がったため空間が生じる。この空間に、ベルトコンベア３ａの回転によって浮き上がった土壌と根菜Ａが、ベルトコンベア３ａの回転に巻き込まれるようにしてベルトコンベア３ａの後端部から下部に引き込まれる。
このように、掘り取り体３が通過直後の浮き上がった土壌と根菜Ａは、ベルトコンベア３ａの下部の空間に急激に沈下し、コンベア下部に流れ込む。その際、根菜Ａが再度土中に埋没することにより、根菜Ａの周囲の土壌が再度固められる。さらに土壌と根菜Ａが埋没していく際に、コンベア下部に流れ込む土壌の流れによって根菜Ａが傾いた状態や折損した状態なる。流れ込んだ土壌によって再度固められた根菜Ａの露出した先端部を補助作業者が上方に引き抜こうとしても引き抜けなかったり、無理に引き上げようとすると根菜Ａが折損したりすることがある。
【００３４】
弾性板４ａをベルトコンベア３ａ後端部に取り付けることによって、ベルトコンベア３ａ上を移動してきた根菜Ａをベルトコンベア３ａ下部に移動しようとする土壌の流れを緩やかに遮り、根菜が傾いて再度土壌に埋没することを防ぐ。これにより、ベルトコンベア３ａで浮き上がり圃場面に露出した根菜Ａの先端部を、補助作業者が把持して容易に上方に引き抜くことができる。
【００３５】
また弾性板４ａは弾性体であるため、ベルトコンベア３ａによって弾性板４ａ上を土壌と根菜が後方へ移動する時にかかる土圧と根菜の自重を撓りながら往なすので、根菜に押し付けるような圧力がかからず、又、擦り付けることが無いので根菜に傷が付かない。
【００３６】
本例の場合、掘り取り体３の前方に掘削部２を設けているが、必ずしも掘削部２を設けた掘り取り機でなくても本発明は実施できる。
【産業上の利用可能性】
【００３７】
この発明は、トラクタ等の走行機後方に装着されて長いも等の根菜を掘り取るための掘り取り機に適用できる。
【符号の説明】
【００３８】
１    機枠
１ａ  マストフレーム
１ｂ  ブラケット
１ｃ  回動軸
１ｄ  油圧シリンダ
１ｅ  トップリンクピン
１ｆ  ロアリンクピン
１ｇ  ビーム
２    掘削部
２０  掘削チェーン
２ａ  ブーム
２ｂ  駆動スプロケット
２ｃ  テンションスプロケット
２ｄ  アイドラスプロケット
２ｅ  ローラーチェーン
２ｆ  掘削刃
３    掘り取り体
３ａ  ベルトコンベア
３ｂ  駆動ローラ
３ｃ  ローラ駆動ギヤケース
３ｄ  刃部
３ｅ  油圧モータ
３ｆ  コンベア側板
４ａ  弾性板
４ｂ  支持体
４ｃ  押さえ部材
４ｄ  延長板
４ｅ  揺動板
４ｆ  揺動中心軸
４ｇ  揺動カム
４ｈ  揺動板駆動油圧モータ
４ｉ  揺動板保持ブラケット
４ｊ  揺動ボス
４ｋ  ガイド板
５ａ  油圧ポンプ
５ｂ  入力ギヤケース
５ｃ  入力軸
７    掘削部カバー
７ａ  サイドガード
７ｂ  リヤガード
８    土崩し手段
【図１】
2018191609.tif 000003
【図２】
2018191609.tif 000004
【図３】
2018191609.tif 000005
【図４】
2018191609.tif 000006
【図５】
2018191609.tif 000007
【図６】
2018191609.tif 000008
【図７】
2018191609.tif 000009
【図８】
2018191609.tif 000010
【図９】
2018191609.tif 000011
【図１０】
2018191609.tif 000012